(57)【要約】【課題】クリーム等の化粧材料の容器で、木、陶器・ガラス等の耐久素材で装飾性を重視した容器は、使用後は内部の化粧材料だけを新しい物に交換して容器がそのまま利用できるようにし、さらに容器内に材料が残ったりせずに最後まで確実に使いきれることが望ましい。【解決手段】容器を構成するケース本体を分割できるようにし、このケース本体内部に流動性のあるように加工した化粧材料を充填した押し出しチューブを収容して、ケース本体の底部より押し出して利用できるようにした。【選択図】図２
2013216374.tif 000002
【特許請求の範囲】
【請求項１】
有底の中空容器であり底部には指の挿入窓を備えこの対向箇所には抽出口を設けたケース本体と、抽出口に抽出部を臨ませてケース本体に収容し流動性のクリーム状の化粧材料を充填した押し出しチューブと、ケース本体の内部でケース本体と押し出しチューブの双方の底部の間隙に設けた押し子と、ケース本体の抽出口もしくは押し出しチューブの抽出部に設けた蓋とで構成し、ケース本体の挿入窓を介して押し子を指で押して押し出しチューブ内の化粧材料を抽出部より排出できるようにしたことを特徴とする化粧材料の容器。
【請求項２】
上記のケース本体は木製としたことを特徴とする請求項１に記載の化粧材料の容器。
【請求項３】
上記の押し出しチューブは胴部を蛇腹状としたことを特徴とする請求項１に記載の化粧材料の容器。
【請求項４】
上記のケース本体は分割可能として押し出しチューブの交換ができるようにしたことを特徴とする請求項１に記載の化粧材料の容器。
【請求項５】
上記の押し子は押し出しチューブに対する押圧面を凸形状とし、この凸形状に対向するケース本体の内部の対向面を相互に嵌合する凹形状として押し子の押し出し作用でチューブ内の化粧材料が完全に排出されるようにしたことを特徴とする請求項１に記載の化粧材料の容器。
【発明の詳細な説明】
【技術分野】
【０００１】  本発明は、クリーム等を一例とする化粧材料の容器に関する。
【背景技術】
【０００２】  化粧材料の容器のうち、木・陶磁器・ガラスなどの耐久素材で装飾性を重視した容器は、使い捨てとするには経済的に不合理であり、内容物を入れ替えして再利用できようにすることが望ましい。【０００３】
【発明の概要】
【発明が解決しようとする課題】
【０００４】  解決しようとする課題は、上述の化粧材料の容器を再利用するにあたり、化粧材料の残りが容器内にこびり付いてしまったり、入れ替えが煩雑であったり手が汚れるようなことがあると商品自体の売れ行きに影響がある。【０００５】  この発明は、上記の欠点の解消を課題としている。即ち、容器内に化粧材料が残ることなく完全に使いきることができ、また化粧材料の入れ替えも簡単に行えるようにした化粧材料の容器を提供することを目的としている。
【課題を解決するための手段】
【０００６】  本発明は、有底の中空容器であり底部には指の挿入窓を備えこの対向箇所には抽出口を設けたケース本体と、抽出口に抽出部を臨ませてケース本体に収容し、流動性のクリーム状の化粧材料を充填した押し出しチューブと、ケース本体の内部でケース本体と押し出しチューブの双方の底部の間隙に設けた押し子と、ケース本体の抽出口もしくは押し出しチューブの抽出部に設けた蓋とで構成し、ケース本体の挿入窓を介して押し子を指で押して押し出しチューブ内の化粧材料を抽出部より排出できるようにした。【０００７】  また、上記のケース本体は木製とした。【０００８】  また、上記の押し出しチューブは胴部を蛇腹状とした。【０００９】  また上記のケース本体は分割可能として押し出しチューブの交換ができるようにした。【００１０】  また、上記の押し子は押し出しチューブに対する押圧面を凸形状とし、この凸形状に対向するケース本体の内部の対向面を相互に嵌合する凹形状として押し子の押し出し作用でチューブ内の化粧材料が完全に排出されるようにした。
以上の解決手段によって上記の課題が解決される。
【発明の効果】
【００１１】  本発明は、上記のように構成したので、化粧材料を必要な分量だけ押し出して使用することができ、また容器内に化粧材料がこびり付いたり残ったりすることがなく、完全に使いきることができる。【００１２】  また、容器を特に木製とした場合は、化粧材料が容器の内面に付着すると再利用するのに憚られるが、このような欠点が解消できる。【００１３】  また、また化粧材料の交換が手をよごさずに簡単に行える。
【図面の簡単な説明】
【００１４】
【図１】この発明の化粧材料の容器の正面図
【図２】図１の２−２線に沿う縦断面図
【図３】図１の平面図
【図４】図２の４−４線に沿う平断面図
【図５】図２の５−５線に沿う平断面図
【図６】図３の６−６線に沿う平断面図
【図７】化粧材料の容器の分解図図
【図８】使用状態を示す縦断面図
【図９】他の実施例を示す正面図
【図１０】図９の１０−１０線に沿う縦断面図
【発明を実施するための形態】
【００１５】  この発明の化粧材料の容器を図面に基づいて説明する。
【実施例１】
【００１６】  図１から図７で示した化粧材料の容器１は、嵌合部２で分割形成したケース本体３と、このケース本体３の頸部４に着脱自在に嵌合した蓋５と、ケース本体３内に収容した押し出しチューブ６と、この押し子７とで構成している。【００１７】  ケース本体３は、底部８に指を充分にさし入れできる挿入窓９を備え、この対向箇所に排出口１０を設け、食い違いの嵌合部２を介して頸部４と適宜の嵌め合いで中空容器を形成している。この嵌合部２は他にネジ嵌合や係止突起と係止穴の嵌合など限定するものではない。この素材は木・陶磁器・ガラス等の耐久性のあるもので製作する。【００１８】  蓋５も上記のケース本体３と同様な材料とし、相互の嵌合もケース本体３と頸部４との嵌合と同様とする。【００１９】  押し出しチューブ６は、先端に抽出部１１を設け胴部１２を蛇腹状とし、内部に流動性のあるクリーム状に加工した化粧材料１３を充填している。化粧材料１３は保湿クリーム等やクレンジングまたは一般的な化粧品の類である。【００２０】  押し子７は、ケース本体３内部で底部８の挿入窓９と押し出しチューブ６の底部との間隙にケース本体３の排出口１０方向に摺動自在として収容している。この押し子７は押し出しチューブ６に対する押圧面１４をテーパー形状の凸状とし、一方、ケース本体３の頸部４との対向面１５は相互に嵌合する逆テーパー形状の凹状としている。【００２１】  図８はこの発明の化粧材料の容器の使用状態を示している。蓋５を外して、ケース本体３の挿入窓９より指を押し入れて押し子７を押圧すると、押し出しチューブ６は胴部１２が折りたたまれて内部の化粧材料１３を抽出部より排出する。押し出しの最終端では押し子７の押圧面１４と頸部４の対向面１５の嵌合によって化粧材料は完全に排出される。【００２２】  図９、図１０はケース本体３を球形とした実施例を示している。この例では載置した場合に安定しないので蓋５の下側に商品としての意匠性の向上をかねて受け皿１６を設けている。
この化粧材料の容器は、保管にあたっては底部８を上向きとして置いておくものであり、化粧材料１３は常時押し出し側に偏在するので、抽出時にすぐに抽出することができる。、
【符号の説明】
【００２３】  １・・・容器
２・・・嵌合部
３・・・ケース本体
４・・・頸部
５・・・蓋
６・・・押し出しチューブ
７・・・押し子
８・・・底部
９・・・挿入窓
１０・・・排出口
１１・・・抽出部
１２・・・胴部
１３・・・化粧材料
１４・・・押圧面
１５・・・対向面
【図１】
2013216374.tif 000003
【図２】
2013216374.tif 000004
【図３】
2013216374.tif 000005
【図４】
2013216374.tif 000006
【図５】
2013216374.tif 000007
【図６】
2013216374.tif 000008
【図７】
2013216374.tif 000009
【図８】
2013216374.tif 000010
【図９】
2013216374.tif 000011
【図１０】
2013216374.tif 000012